(57)【要約】【課題】外部からの電力供給を受けるための導電部材の取り外しを、簡易な構造で容易に行わせることのできる照明用光源を提供する。【解決手段】ＬＥＤユニット１であって、ＬＥＤチップ２１ａが設けられた実装基板２０と、支持台４０および筐体１０を有する本体部５と、筐体１０の内部に配置され、発光素子２１ａを発光させるための電力を供給する導電部材の端部を着脱可能に保持することのできる保持部３０であって、当該端部の保持を解除する解除部３１を有する保持部３０とを備え、本体部５は、本体部５の外部から内部に導電部材の端部を挿通させる挿通孔２２ａ（２２ｂ）と、筐体１０に設けられた解除孔１５であって、解除孔１５を介した本体部５の外方からの解除部３１への接触を可能とする解除孔１５と、本体部５の外面から突出状に設けられた解除用突起１１であって、解除孔１５に挿入可能な形状およびサイズの解除用突起１１とを有する。【選択図】図６
2014179239.tif 000002
【特許請求の範囲】
【請求項１】
照明器具に着脱可能に取り付けられる照明用光源であって、
前方に光を発する発光素子が設けられた基板と、
前記基板の後方に配置される支持台、および、前記支持台とで前記基板を前後方向に挟むように配置される筐体を有する本体部と、
前記筐体の内部に配置され、前記発光素子を発光させるための電力を供給する導電部材の端部を着脱可能に保持することのできる保持部であって、少なくとも一部が押下げられることで前記導電部材の端部の保持を解除する解除部を有する保持部とを備え、
前記本体部は、
前記本体部の外部から内部に前記導電部材の端部を挿通させる挿通孔と、
前記筐体に設けられた解除孔であって、前記解除孔を介した前記本体部の外方からの前記解除部への接触を可能とする解除孔と、
前記本体部の外面から突出状に設けられた解除用突起であって、前記解除孔に挿入可能な形状およびサイズの解除用突起とを有する
照明用光源。
【請求項２】
前記解除用突起は、前記筐体の、前記前後方向と直交する方向の側面に設けられている
請求項１記載の照明用光源。
【請求項３】
前記解除用突起は、前記本体部の最大外径より内側に位置するように、前記筐体に設けられている
請求項２記載の照明用光源。
【請求項４】
前記解除用突起は、前記本体部において、前記挿通孔と対向する位置に設けられている
請求項１〜３のいずれか１項に記載の照明用光源。
【請求項５】
前記解除用突起は、前記支持台の後側の面である背面から突出状に設けられている
請求項１記載の照明用光源。
【請求項６】
前記本体部は、前記筐体の前側の面である前面から陥凹状に設けられた凹部であって、前記凹部の底面に、前記照明用光源の前記照明器具への取り付けのための取付部材が貫通する取付孔が形成された凹部を有し、
前記凹部は、前記解除用突起を収容可能な大きさおよび形状の空間を形成している
請求項５記載の照明用光源。
【請求項７】
前記解除用突起は、前記筐体の前側の面である前面から突出状に設けられている
請求項１記載の照明用光源。
【請求項８】
前記導電部材は、第一リード線と第二リード線とを有し、
前記解除部は、押下げられることで、前記保持部による前記第一リード線および前記第二リード線それぞれの端部の保持を解除する
請求項１〜７のいずれか１項に記載の照明用光源。
【請求項９】
請求項１〜８のいずれか１項に記載の照明用光源と、
前記照明用光源が取り付けられ、前記照明用光源に給電を行うための照明器具と
を備える照明装置。
【発明の詳細な説明】
【技術分野】
【０００１】
本発明は、光源としてＬＥＤ等の発光素子が用いられる照明用光源および当該照明用光源を備える照明装置に関する。
【背景技術】
【０００２】
従来、光源として発光ダイオード（ＬＥＤ：Ｌｉｇｈｔ  Ｅｍｉｔｔｉｎｇ  Ｄｉｏｄｅ）が用いられた円盤状または扁平状の照明用光源であるＬＥＤランプが提案されている（例えば、特許文献１参照）。
【０００３】
このようなＬＥＤランプにおいては、一般的に、発光素子が設けられた基板と、基板を支持する支持台と、筐体とを備えており、照明器具に対して例えばネジで固定される。
【先行技術文献】
【特許文献】
【０００４】
【特許文献１】米国特許出願公開第２０１２／０２３６５３２号明細書
【発明の概要】
【発明が解決しようとする課題】
【０００５】
ここで、照明器具に固定されたＬＥＤランプを新たなＬＥＤランプに取り替える際、器具からの電力供給を受けるためのリード線を当該ＬＥＤランプから取り外し、新たな照明器具に接続する作業が必要となる場合がある。
【０００６】
そのため、このような取替えを前提としたＬＥＤランプでは、正負の２本のリード線を着脱可能に接続する仕組みが必要である。
【０００７】
そこで、一般には、ＬＥＤランプに、固定されたリード線の端部を解除（ＬＥＤランプからの取り外し）するボタンを設けること、リード線の端部をネジ止めすること、または、専用の工具でリード線の端部の解除を可能とする機構を設けることなどが行われる。
【０００８】
つまり、従来のＬＥＤランプでは、例えば、リード線を着脱可能に接続するための機構が複雑化または大型化するという問題、および、リード線の解除のためのドライバー等の工具を必ず準備しておく必要があるという問題がある。
【０００９】
本発明は、上記従来の課題を考慮し、外部からの電力供給を受けるための導電部材の取り外しを、簡易な構造で容易に行わせることのできる照明用光源、および、当該照明用光源を備える照明装置を提供することを目的とする。
【課題を解決するための手段】
【００１０】
上記目的を達成するために、本発明の一態様に係る照明用光源は、照明器具に着脱可能に取り付けられる照明用光源であって、前方に光を発する発光素子が設けられた基板と、前記基板の後方に配置される支持台、および、前記支持台とで前記基板を前後方向に挟むように配置される筐体を有する本体部と、前記筐体の内部に配置され、前記発光素子を発光させるための電力を供給する導電部材の端部を着脱可能に保持することのできる保持部であって、少なくとも一部が押下げられることで前記導電部材の端部の保持を解除する解除部を有する保持部とを備え、前記本体部は、前記本体部の外部から内部に前記導電部材の端部を挿通させる挿通孔と、前記筐体に設けられた解除孔であって、前記解除孔を介した前記本体部の外方からの前記解除部への接触を可能とする解除孔と、前記本体部の外面から突出状に設けられた解除用突起であって、前記解除孔に挿入可能な形状およびサイズの解除用突起とを有する。
【００１１】
また、本発明の一態様に係る照明用光源において、前記解除用突起は、前記筐体の、前記前後方向と直交する方向の側面に設けられているとしてもよい。
【００１２】
また、本発明の一態様に係る照明用光源において、前記解除用突起は、前記本体部の最大外径より内側に位置するように、前記筐体に設けられているとしてもよい。
【００１３】
また、本発明の一態様に係る照明用光源において、前記解除用突起は、前記本体部において、前記挿通孔と対向する位置に設けられているとしてもよい。
【００１４】
また、本発明の一態様に係る照明用光源において、前記解除用突起は、前記支持台の後側の面である背面から突出状に設けられているとしてもよい。
【００１５】
また、本発明の一態様に係る照明用光源において、前記本体部は、前記筐体の前側の面である前面から陥凹状に設けられた凹部であって、前記凹部の底面に、前記照明用光源の前記照明器具への取り付けのための取付部材が貫通する取付孔が形成された凹部を有し、前記凹部は、前記解除用突起を収容可能な大きさおよび形状の空間を形成しているとしてもよい。
【００１６】
また、本発明の一態様に係る照明用光源において、前記解除用突起は、前記筐体の前側の面である前面から突出状に設けられているとしてもよい。
【００１７】
また、本発明の一態様に係る照明用光源において、前記導電部材は、第一リード線と第二リード線とを有し、前記解除部は、押下げられることで、前記保持部による前記第一リード線および前記第二リード線それぞれの端部の保持を解除するとしてもよい。
【００１８】
また、上記目的を達成するために、本発明の一態様に係る照明装置は、上記いずれかの態様に係る照明用光源と、前記照明用光源が取り付けられ、前記照明用光源に給電を行うための照明器具とを備える。
【発明の効果】
【００１９】
本発明によれば、外部からの電力供給を受けるための導電部材の取り外しを、簡易な構造で容易に行わせることのできる照明用光源、および、当該照明用光源を備える照明装置を提供することができる。
【図面の簡単な説明】
【００２０】
【図１Ａ】実施の形態１に係るＬＥＤユニットの第１の外観斜視図
【図１Ｂ】実施の形態１に係るＬＥＤユニットの第２の外観斜視図
【図２Ａ】実施の形態１に係るＬＥＤユニットの平面図
【図２Ｂ】実施の形態１に係るＬＥＤユニットの背面図
【図３】実施の形態１に係るＬＥＤユニット１の分解斜視図
【図４Ａ】実施の形態１に係る保持部の構造の一例を示す外観斜視図
【図４Ｂ】図４Ａに示す保持部の側面図
【図５】図４Ａに示す保持部におけるリード線の端部の解除の様子を示す図
【図６】第一ＬＥＤユニットに接続されたリード線を第二ＬＥＤユニットを用いて解除する様子を示す図
【図７】実施の形態１の変形例１に係るＬＥＤユニットの外観斜視図
【図８】実施の形態１の変形例１に係るＬＥＤユニットにおけるリード線の解除の様子を示す平面図
【図９】実施の形態１の変形例１に係るＬＥＤユニットの前側の構造と後側の構造とを示す図
【図１０】実施の形態１の変形例２に係るＬＥＤユニットの外観斜視図
【図１１】実施の形態１の変形例２に係るＬＥＤユニットにおけるリード線の解除の様子を示す平面図
【図１２】実施の形態１の変形例２に係るＬＥＤユニットの前側の構造と、光学部材の後側の構造とを示す図
【図１３】実施の形態１の変形例３に係るＬＥＤユニットの平面図
【図１４】２本のリード線の一括解除を可能とする解除用突起を示す図
【図１５】実施の形態２に係る照明装置の構成概要を示す断面図
【発明を実施するための形態】
【００２１】
以下、本発明の実施の形態に係る照明用光源および照明装置について、図面を参照しながら説明する。なお、各図は、模式図であり、必ずしも厳密に図示したものではない。
【００２２】
また、以下に説明する実施の形態は、いずれも本発明の好ましい一具体例を示すものである。したがって、以下の実施の形態で示される、数値、形状、材料、構成要素、構成要素の配置位置および接続形態などは、一例であって本発明を限定する主旨ではない。よって、以下の実施の形態における構成要素のうち、独立請求項に記載されていない構成要素については、任意の構成要素として説明される。
【００２３】
以下の実施の形態１では、照明用光源の一例として、ＬＥＤユニット（ＬＥＤランプ）について説明する。
【００２４】
（実施の形態１）
まず、本発明の実施の形態１に係るＬＥＤユニット１の概略構成について、図１Ａ〜図３を参照して説明する。
【００２５】
図１Ａは、実施の形態１に係るＬＥＤユニット１の第１の外観斜視図である。
【００２６】
図１Ｂは、実施の形態１に係るＬＥＤユニット１の第２の外観斜視図である。
【００２７】
図２Ａは、実施の形態１に係るＬＥＤユニット１の平面図である。
【００２８】
図２Ｂは、実施の形態１に係るＬＥＤユニット１の背面図である。
【００２９】
図３は、実施の形態１に係るＬＥＤユニット１の分解斜視図である。
【００３０】
なお、図１Ａ、図１Ｂ、および図３では、ＬＥＤユニット１から光を取り出す側（以下、光照射側という）が上側となるように図示されている。以下、光照射側を前側（前方）、光照射側と反対側を後側（後方）、前後方向に交差する方向を側方として説明を行う。
【００３１】
つまり、ＬＥＤユニット１における前後方向とは、本実施の形態におけるＺ軸に平行な方向であり、ＬＥＤユニット１における側方とは、本実施の形態におけるＸＹ平面に平行な方向である。
【００３２】
また、図１Ｂでは、図１Ａに示すＬＥＤユニット１をＺ軸回りに１８０°回転させた状態が図示されている。
【００３３】
これらの図に示すように、ＬＥＤユニット１は、全体形状が円形で扁平状の照明用光源であり、照明器具（図示せず）に取り付けられて光を照射する装置である。
【００３４】
具体的には、ＬＥＤユニット１は、例えば外径が３０ｍｍ〜１５０ｍｍ、高さが１０ｍｍ〜３０ｍｍ程度のＬＥＤランプである。
【００３５】
本実施の形態におけるＬＥＤユニット１は、筐体１０および支持台４０を有する本体部５と、実装基板２０とを備えている。
【００３６】
筐体１０は、ＬＥＤユニット１の光照射側（前方）に配置された、外形が円盤状の筐体である。具体的には、筐体１０は、前部および後部に開口部を有し、後部で支持台４０と接続されている。
【００３７】
また、筐体１０と支持台４０との間に実装基板２０が配置されている。つまり、筐体１０は、支持台４０とで実装基板２０を前後方向に挟むように配置されている。なお、本実施の形態では、支持台４０と筐体１０とにより本体部５が構成されている。
【００３８】
筐体１０は、例えばＰＢＴ（ポリブチレンテレフタレート）などの絶縁性を有する合成樹脂からなる樹脂筐体で構成される。
【００３９】
また、本体部５は、挿通孔２２ａおよび２２ｂと、２つの解除孔１５と、２つの解除用突起１１を備える。
【００４０】
挿通孔２２ａおよび２２ｂのそれぞれは、本体部５の外部から内部に導電部材の端部を挿通させる孔であり、本実施の形態では、筐体１０の側面１０ｂに設けられている。
【００４１】
より詳細には、筐体１０の側面１０ｂの一部であって、筐体１０の径方向に突出したリード線取付部２２の径方向の面に、挿通孔２２ａおよび２２ｂが設けられている。
【００４２】
なお、本実施の形態では、図２Ｂに示すように、本体部５の最大外径Ｄは、平面視における外形が全体として円形の本体部５と同心の円であって、リード線取付部２２が内接する大きさの円（図２Ｂにおける一点鎖線で示される円）として規定される。
【００４３】
本実施の形態では、照明器具から延設されたリード線１２２ａの端部が挿通孔２２ａに挿通され、同じく照明器具から延設されたリード線１２２ｂの端部が挿通孔２２ｂに挿通される。
【００４４】
なお、リード線１２２ａおよび１２２ｂのそれぞれは、導電部材の一例である。リード線１２２ａおよび１２２ｂの一方は、照明器具が有する電源回路のプラス側出力端子に接続され、ており、他方には当該電源回路のマイナス側出力端子に接続されている。
【００４５】
また、リード線１２２ａおよび１２２ｂそれぞれの端部は、絶縁被覆のない電線（単線または半田あげされたより線）であり、例えば外径が０．５ｍｍ〜２ｍｍ程度である。
【００４６】
リード線１２２ａおよび１２２ｂそれぞれの端部は、筐体１０の内部に配置された保持部３０に着脱可能に保持される。
【００４７】
保持部３０は、少なくとも一部が押下げられることでリード線１２２ａ（１２２ｂ）の端部の保持を解除する解除部を有しており、解除孔１５を介した本体部５の外方からの解除部への接触が可能である。
【００４８】
解除用突起１１は、本体部の外面から突出状に設けられた部材であり、解除孔１５に挿入可能な形状およびサイズである。
【００４９】
すなわち、当該ＬＥＤユニット１とは別のＬＥＤユニット１が有する解除用突起１１が解除孔１５に挿入されることで、保持部３０によるリード線１２２ａ（１２２ｂ）の端部の保持が解除される。
【００５０】
また、本実施の形態では、筐体１０の側面１０ｂに２つの解除用突起１１が設けられており、リード線１２２ａおよび１２２ｂの双方を同時に解除することが可能である。２つの解除用突起１１は、例えば樹脂の一体成形物として筐体１０に備えられている。
【００５１】
保持部３０における、リード線１２２ａおよび１２２ｂの着脱（つまり、リード線１２２ａおよび１２２ｂそれぞれの端部の固定および固定の解除）の仕組み等については、図４Ａ〜図６を用いて後述する。
【００５２】
本体部５はさらに、筐体１０の前側の面である前面１０ａから陥凹状に設けられた凹部１２および１３を有する。それぞれの凹部１２（１３）の底面には、ＬＥＤユニット１の照明器具への取り付けのための取付部材（例えばネジ）が貫通する取付孔１２ａ（１３ａ）が形成されている。
【００５３】
例えば、ＬＥＤユニット１は、筐体１０の外周に沿って配置された３つの凹部１２それぞれの取付孔１２ａを用いて照明器具にネジ止めされる。または、筐体１０において３つの凹部１２よりも内側に配置された２つの凹部１３それぞれの取付孔１３ａを用いて照明器具にネジ止めされる。いずれの場合も、各ネジの頭部は凹部１２または１３の内方に収容される。
【００５４】
つまり、３つの凹部１２（取付孔１２ａ）および２つの凹部１３（取付孔１３ａ）は、ＬＥＤユニット１を３点止めおよび２点止めの両方に対応させるために設けられており、本体部５は、いずれか一方を有していればよい。
【００５５】
実装基板２０は、１以上の、半導体発光素子等の発光素子が設けられた基板である。実装基板２０は、例えば、矩形の平板状の基板であり、発光素子が搭載される主面と支持台４０に接続される裏面とを有している。
【００５６】
また、実装基板２０は、熱伝導性が高い材料で構成することが好ましく、例えば、アルミナからなるアルミナ基板により構成される。
【００５７】
なお、実装基板２０としては、アルミナ基板以外に、窒化アルミニウム等のその他のセラミック基板、アルミ、銅等の金属基板、樹脂基板、あるいは、金属と樹脂との積層構造を有するようなメタルベース基板等を用いてもかまわない。また、実装基板２０として、リジッド基板ではなく、フレキシブル基板またはリジッドフレキシブル基板が採用されてもよい。
【００５８】
また、実装基板２０として、樹脂基板が採用される場合、例えば、無機フィラーを含有する高熱伝導樹脂を素材とする樹脂基板が採用されてもよい。
【００５９】
実装基板２０は、前方に光を発する１以上の発光素子を有する発光部２１が設けられている。
【００６０】
具体的には、発光部２１は、実装基板２０に実装された１以上のＬＥＤチップ２１ａ（図３参照）と、封止部材とを備えている。ＬＥＤチップ２１ａは、発光素子の一例であり、実装基板２０の主面上にダイボンディング等によって実装される。
【００６１】
また、本実施の形態では、封止部材は、マトリックス状に配置された複数のＬＥＤチップ２１ａを一括して封止している。
【００６２】
なお、ＬＥＤチップ２１ａとしては、例えば、中心波長が４４０ｎｍ〜４７０ｎｍの青色光を発光する青色ＬＥＤチップが用いられる。
【００６３】
また、封止部材としては、ＬＥＤチップ２１ａを封止してＬＥＤチップ２１ａを保護するとともに、ＬＥＤチップ２１ａからの光を波長変換する蛍光体を含む樹脂で構成された蛍光体含有樹脂が例示される。
【００６４】
具体的には、封止部材として、例えば、ＬＥＤチップ２１ａが青色ＬＥＤである場合、白色光を得るために、ＹＡＧ（イットリウム・アルミニウム・ガーネット）系の黄色蛍光体粒子をシリコーン樹脂に分散させた蛍光体含有樹脂を用いることができる。これにより、発光部２１（封止部材）からは、蛍光体粒子によって波長変換された黄色光と青色ＬＥＤチップ２１ａからの青色光とによって白色光が放出される。
【００６５】
また、発光部２１の外径は、例えば５ｍｍ〜５０ｍｍであり、ＬＥＤユニット１が２０Ｗ型のＬＥＤランプの場合には、発光部２１の外径は、例えば２０ｍｍである。
【００６６】
なお、本実施の形態では、丸型の発光部２１を例示したが、発光部２１の全体形状は丸型のものに限定されない。例えば、発光部２１の全体形状として角型が採用されてもよい。
【００６７】
また、封止部材による複数のＬＥＤチップ２１ａの封止の態様に特に限定はない。例えば、複数のＬＥＤチップ２１ａを個別に封止してもよく、複数のＬＥＤチップ２１ａをラインごとに封止してもよい。
【００６８】
また、ＬＥＤチップ２１ａからの光の波長変換の必要がない場合などにおいて、実装基板２０に配置された１以上のＬＥＤチップ２１ａが封止部材によって封止されていなくてもよい。
【００６９】
また、図３に示すように、実装基板２０の端部には、コネクタ２３ａおよび２３ｂが配置されている。コネクタ２３ａおよび２３ｂは、リード線１２２ａおよび１２２ｂの端部を保持する保持部３０と、電線１３２ａおよび１３２ｂによって電気的に接続される。なお、保持部３０と、電線１３２ａおよび１３２ｂとについて、図３では点線で概念的に示されている。
【００７０】
つまり、発光部２１の各ＬＥＤチップ２１ａには、保持部３０およびコネクタ２３ａおよび２３ｂを介して、照明器具から電力が供給され、これにより、発光部２１が発光する。
【００７１】
なお、コネクタ２３ａおよび２３ｂの配置位置について特に限定はなく、実装基板２０のどこに配置されていてもかまわない。また、実装基板２０がコネクタ２３ａおよび２３ｂを備えなくてもよく、例えば、保持部３０と接続された電線が、実装基板２０に半田付けされていてもよい。
【００７２】
支持台４０は、実装基板２０が取り付けられる台座であって、実装基板２０の光照射側とは反対側（後方）に配置されている。支持台４０の前面と実装基板２０の裏面とは、例えば接着剤によって接合されている。
【００７３】
支持台４０の素材としては、アルミニウム等の金属、無機フィラーを含有する高熱伝導樹脂、および、セラミックス等が例示される。
【００７４】
ここで、支持台４０の素材として、アルミニウムなどの熱伝導性が高い材料を採用した場合、支持台４０は、実装基板２０の熱を効率よく照明器具に伝導することができる。つまり、支持台４０を、実装基板２０で発生した熱を放熱させる放熱体として機能させることも可能である。
【００７５】
なお、支持台４０の素材として導電性の材料を採用した場合、支持台４０と実装基板２０との間の電気的な絶縁のために、支持台４０と実装基板２０との間に絶縁部材が配置される。
【００７６】
また、支持台４０の前面または背面４０ａには、実装基板２０からの熱を照明器具側に逃がすための熱伝導部材が配置されていてもよい。熱伝導部材としては、例えば、シリコンシートまたはアクリルシートなどのゴムまたは樹脂製のシートや、グリスなど液状の部材などが考えられる。
【００７７】
次に、保持部３０における、リード線１２２ａおよび１２２ｂの着脱の仕組み等について、図４Ａ〜図６を用いて説明する。
【００７８】
図４Ａは、実施の形態１に係る保持部３０の構造の一例を示す外観斜視図である。
【００７９】
図４Ｂは、図４Ａに示す保持部３０の側面図である。なお、図４Ｂにおいて、筐体１０および支持台４０は、解除孔１５を通るＸＺ平面における断面で示されている。
【００８０】
保持部３０は、例えば、板金に対して打ち抜加工および折り曲げ加工をすることで得られる導電性の部材である。
【００８１】
図４Ａに示すように、保持部３０は、押下げられることでリード線１２２ａ（１２２ｂ）の端部の保持を解除する解除部３１を有している。
【００８２】
具体的には、本体部５の内部に挿入されたリード線１２２ａ（１２２ｂ）の端部は、上板部３４にガイドされながら保持部３０の内方に進入する。このとき、リード線１２２ａ（１２２ｂ）の端部は、板状の解除部３１の一部である抜け止め部３１ａ、および、板状の押上部３２を下方に押し下げながら保持部３０の内方に進入する。
【００８３】
つまり、リード線１２２ａ（１２２ｂ）の端部は、弾性を有する押上部３２および解除部３１からの付勢力により上板部３４に押し当てられた状態で、保持部３０に保持される。
【００８４】
また、この状態で、リード線１２２ａ（１２２ｂ）の端部を保持部３０から抜き出そうとした場合、当該端部と、当該端部の抜き出し方向に直交する辺で当該端部に接触する抜け止め部３１ａとの摩擦力により、抜け止め部３１ａが上昇する方向に解除部３１に力が働く。そのため、通常の使用時において、リード線１２２ａ（１２２ｂ）の端部が保持部３０から外れることはない。
【００８５】
このようにして保持部３０に保持されたリード線１２２ａおよび１２２ｂから供給される電力は、保持部３０に備えられた２つの電線取付部３５に取り付けられた２本の電線１３２ａを介して、発光部２１を有する実装基板２０に供給される。
【００８６】
このような構成を有する保持部３０は、解除部３１の少なくとも一部が押し下げられることで、リード線１２２ａ（１２２ｂ）の保持を解除する。
【００８７】
図５は、図４Ａに示す保持部３０におけるリード線１２２ａ（１２２ｂ）の端部の解除の様子を示す図である。
【００８８】
なお、保持部３０におけるリード線１２２ａ（１２２ｂ）の端部の解除を、以下、単に、「リード線１２２ａ（１２２ｂ）の解除」と記す場合もある。
【００８９】
図５の（ａ）に示すように、リード線１２２ａ（１２２ｂ）の解除の対象のＬＥＤユニット１（以下、「第一ＬＥＤユニット１」と言う。）の解除孔１５から、他のＬＥＤユニット１（以下、「第二ＬＥＤユニット１」と言う。）に備えられた解除用突起１１を挿入する。
【００９０】
これにより、図５の（ｂ）に示すように、解除用突起１１の先端が、保持部３０の解除部３１の頭部に接触し、当該頭部が押し下げられ、解除部３１が湾曲する。その結果、解除部３１の抜け止め部３１ａがリード線１２２ａ（１２２ｂ）の端部から離される。
【００９１】
すなわち、保持部３０によるリード線１２２ａ（１２２ｂ）の端部の保持は解除される。
【００９２】
ここで、ＬＥＤユニット１においてリード線１２２ａ（１２２ｂ）の解除を行う場合とは、具体的には、ＬＥＤユニット１を取り替える場合である。
【００９３】
すなわち、ＬＥＤユニット１の取替え（交換）の時点では、照明器具に取り付けられているＬＥＤユニット１（第一ＬＥＤユニット１）とは別のＬＥＤユニット１（第二ＬＥＤユニット１）が必ず存在している。
【００９４】
言い換えると、第二ＬＥＤユニット１に備えられた解除用突起１１が、第一ＬＥＤユニット１におけるリード線１２２ａ（１２２ｂ）の解除のための道具として、必ず存在している。
【００９５】
すなわち、ＬＥＤユニット１の取替えの際に、必ず手元にある道具（当該取替え作業によって照明器具にとりつけられるＬＥＤユニット１）で、リード線１２２ａおよび１２２ｂの解除が行える。
【００９６】
そのため、ドライバーまたは専用工具等の工具を用意する必要がない。
【００９７】
また、仮に、金属製のドライバーのような導電体を、リード線１２２ａ（１２２ｂ）の解除のための道具として用いた場合、保持部３０と直接接触することで、短絡等の問題が生じることも考えられる。そのため、保持部３０とドライバーとが直接接触しないように絶縁体を介在させるなど、保持部３０の構造が複雑化する。
【００９８】
しかしながら、本実施の形態における解除用突起１１は、上述のように、樹脂で構成される筐体１０の一体物として実現することができる。そのため、本実施の形態における保持部３０として、例えば図４Ａに示される、１枚の板金から得られるような簡易な構造物を採用することができる。
【００９９】
従って、本実施の形態のＬＥＤユニット１において、リード線１２２ａ（１２２ｂ）の解除用のボタンを筐体１０に配置する、または、上記のように絶縁体を保持部３０に配置するというような、複雑な構造を採用する必要はない。
【０１００】
また、本実施の形態のＬＥＤユニット１では、リード線１２２ａ（１２２ｂ）の解除のための部分（解除部３１）は、筐体１０の内部に収容されている。そのため、解除用のボタンを外部から接触可能に筐体１０に設けた場合に起こりうる、リード線１２２ａ（１２２ｂ）の誤解除の発生が抑制される。
【０１０１】
また、解除用突起１１は、板状の解除部３１を僅かに湾曲させる程度の剛性を有していればよいため、比較的に薄くまたは細くできる。つまり、解除孔１５の大きさは比較的小さくてもよい。そのため、例えば、ＬＥＤユニット１の照明器具へのネジ止めに用いるドライバー、および、作業員の指等の物体が、解除孔１５から筐体１０の内部に進入することを防止することも可能である。
【０１０２】
すなわち、本実施の形態のＬＥＤユニット１は、外部からの電力供給を受けるための導電部材の取り外しを、簡易な構造で容易に行わせることのできる照明用光源である。
【０１０３】
さらに、ＬＥＤユニット１の本体部５は、保持部３０が備える２つの解除部３１のそれぞれに対応する２つの解除孔１５を備えている。つまり、リード線１２２ａおよび１２２ｂそれぞれの解除用の孔が、２つの解除孔１５として本体部５に備えられている。
【０１０４】
またさらに、ＬＥＤユニット１には、２つの解除用突起１１が設けられており、これら２つの解除用突起１１の間隔は、２つの解除孔１５の間隔と同一（略同一を含む）である。
【０１０５】
つまり、第一ＬＥＤユニット１に接続されたリード線１２２ａおよび１２２ｂの双方を、第二ＬＥＤユニット１を用いて同時に解除することが可能である。
【０１０６】
図６は、第一ＬＥＤユニット１に接続されたリード線１２２ａおよび１２２を第二ＬＥＤユニット１を用いて解除する様子を示す図である。
【０１０７】
ここで、ＬＥＤユニット１において、上述のように、本体部５の側面（筐体１０の側面１０ｂ）に２つの解除用突起１１が設けられている。そのため、図６から分かるように、作業者は、第二ＬＥＤユニット１を縦に持った状態で、第一ＬＥＤユニット１におけるリード線１２２ａおよび１２２の解除を行うことができる。このことによっても、ＬＥＤユニット１におけるリード線１２２ａ（１２２ｂ）の解除作業が容易化される。
【０１０８】
また、本実施の形態では、図２Ｂに示されるように、解除用突起１１は、本体部５の最大外径Ｄより内側に位置するように、筐体１０に設けられている。具体的には、解除用突起１１の、筐体１０の側面１０ｂからの突出長さが、リード線取付部２２の、筐体１０の側面１０ｂ（側面１０ｂ全体におけるリード線取付部２２を除く部分）からの突出長さよりも短くなるように、解除用突起１１が設けられている。
【０１０９】
つまり、解除用突起１１は、ＬＥＤユニット１の径方向のサイズを実質的に増加させない態様でＬＥＤユニット１に設けられている。
【０１１０】
また、本実施の形態では、例えば図１Ａ〜図２Ａに示されるように、解除用突起１１は、本体部５において、挿通孔２２ａまたは２２ｂと対向する位置に設けられている。
【０１１１】
そのため、ＬＥＤユニット１は、例えば図２Ａに示されるように、全体としてＸ軸について線対称である。つまり、ＬＥＤユニット１に解除用突起１１を設けた場合であっても、ＬＥＤユニット１の形状を線対称のまま維持できる。
【０１１２】
従って、解除用突起１１の存在が、例えばＬＥＤユニット１を保管または搬送するケースにＬＥＤユニット１を収容する際におけるＬＥＤユニット１の向きの制限にならない。
【０１１３】
なお、実施の形態１に係るＬＥＤユニット１の構成は、図１Ａ〜図６によって示される構成以外であってもよい。そこで、ＬＥＤユニット１の構成についての各種の変形例を、実施の形態１に係るＬＥＤユニット１との差分を中心に、図７〜図１３を用いて説明する。
【０１１４】
（変形例１）
図７は、実施の形態１の変形例１に係るＬＥＤユニット１ａの外観斜視図である。
【０１１５】
図８は、実施の形態１の変形例１に係るＬＥＤユニット１ａにおけるリード線の解除の様子を示す平面図である。
【０１１６】
なお、図７では、ＬＥＤユニット１ａを支持台４０の後側の面である背面４０ａの側から見た場合の斜視図が示されている。
【０１１７】
図７に示すように、変形例１に係るＬＥＤユニット１ａは、支持台４０の背面４０ａから突出状に解除用突起１１が設けられている。
【０１１８】
この場合、図８に示すように、リード線１２２ａおよび１２２ｂ（図８に図示せず）の解除の対象のＬＥＤユニット１ａ（第一ＬＥＤユニット１ａ）の上方に、他のＬＥＤユニット１ａ（第二ＬＥＤユニット１ａ）を重ねるように配置する。
【０１１９】
より詳細には、第一ＬＥＤユニット１ａの１つの解除孔１５に、第二ＬＥＤユニット１ａに設けられた解除用突起１１が挿入されるように、第一ＬＥＤユニット１ａと第二ＬＥＤユニット１ａとを重ねる。
【０１２０】
これにより、第二ＬＥＤユニット１ａに設けられた解除用突起１１が、第一ＬＥＤユニット１ａの保持部３０の、当該解除孔１５に対応する解除部３１の頭部を押し下げ、その結果、保持部３０によるリード線１２２ａまたは１２２ｂの保持が解除される（図５参照）。
【０１２１】
ここで、第二ＬＥＤユニット１ａが備える解除用突起１１は１つのみである。しかし、第一ＬＥＤユニット１ａが備える２つの解除孔１５に、当該解除用突起１１を順次挿入することで、第一ＬＥＤユニット１ａにおけるリード線１２２ａおよび１２２ｂの解除が可能である。
【０１２２】
なお、ＬＥＤユニット１ａが２つの解除用突起１１を備えてもよく、この場合は、実施の形態１に係るＬＥＤユニット１と同じく、他のＬＥＤユニット１ａにおけるリード線１２２ａおよび１２２の両方の一括解除が可能である。
【０１２３】
また、ＬＥＤユニット１ａにおいて、解除用突起１１は、支持台４０の背面４０ａに設けられていることにより、例えば、ＬＥＤユニット１ａを照明器具に取り付ける際の、ＬＥＤユニット１ａの位置決めに利用することも可能である。
【０１２４】
また、解除用突起１１を支持台４０の背面４０ａに設けた場合であっても、例えば、複数のＬＥＤユニット１ａを重ねて保管することは可能である。
【０１２５】
図９は、実施の形態１の変形例１に係るＬＥＤユニット１ａの前側の構造と後側の構造とを示す図である。
【０１２６】
図９に示すように、ＬＥＤユニット１ａにおいて、解除用突起１１は、支持台４０の背面４０ａの、凹部１２の直下に相当する位置に配置されている。
【０１２７】
そのため、例えば、あるＬＥＤユニット１ａと他の第二ＬＥＤユニット１ａとを重ねて保管する場合、当該他のＬＥＤユニット１ａの凹部１２に、当該ＬＥＤユニット１ａの解除用突起１１が収容される。
【０１２８】
つまり、１つのＬＥＤユニット１ａに着目した場合、当該ＬＥＤユニット１ａが備える凹部１２は、当該ＬＥＤユニット１ａが備える解除用突起１１を収容可能な大きさおよび形状の空間を形成している。
【０１２９】
これにより、例えば、複数のＬＥＤユニット１ａを、所定の大きさの空間内に効率よく保管することができる。
【０１３０】
（変形例２）
図１０は、実施の形態１の変形例２に係るＬＥＤユニット１ｂの外観斜視図である。
【０１３１】
図１１は、実施の形態１の変形例２に係るＬＥＤユニット１ｂにおけるリード線の解除の様子を示す平面図である。
【０１３２】
図１０に示すように、変形例２に係るＬＥＤユニット１ｂは、筐体１０の前面１０ａから突出状に解除用突起１１が設けられている。
【０１３３】
具体的には、三対の解除用突起１１が前面１０ａに配置されている。
【０１３４】
この場合、図１１に示すように、リード線１２２ａおよび１２２ｂ（図１１に図示せず）の解除の対象のＬＥＤユニット１ｂ（第一ＬＥＤユニット１ｂ）の上方に、他のＬＥＤユニット１ｂ（第二ＬＥＤユニット１ａ）を、前後を反転させて重ねるように配置する。
【０１３５】
より詳細には、第一ＬＥＤユニット１ｂの２つの解除孔１５に、第二ＬＥＤユニット１ｂに設けられた一対の解除用突起１１が挿入されるように、第一ＬＥＤユニット１ｂと第二ＬＥＤユニット１ｂとを重ねる。
【０１３６】
これにより、第二ＬＥＤユニット１ｂに設けられた一対の解除用突起１１が、第一ＬＥＤユニット１ｂの保持部３０の２つの解除部３１の頭部を押し下げ、その結果、保持部３０によるリード線１２２ａおよび１２２ｂの保持が一括に解除される（図５参照）。
【０１３７】
また、ＬＥＤユニット１ｂにおいて、解除用突起１１は、筐体１０の前面１０ａに設けられているため、例えば、ＬＥＤユニット１ｂにレンズまたは反射板等の光学部材を取り付ける際の、光学部材のＬＥＤユニット１ｂに対する位置決めに利用することも可能である。
【０１３８】
図１２は、実施の形態１の変形例２に係るＬＥＤユニット１ｂの前側の構造と、光学部材８０の後側の構造とを示す図である。
【０１３９】
なお、ＬＥＤユニット１ｂに取り付けられる光学部材８０としては、ＬＥＤユニット１ｂからの光を前方に放出するレンズ、反射鏡、色調調節のための光学フィルタ、もしくは、透光性のカバーのそれぞれ、または、これらの組み合わせなどである。また、図８に示す光学部材８０の形状および大きさは一例である。
【０１４０】
例えば図１２に示すように、光学部材８０の後側の面（底面）に、三対の取付溝８１が配置されている場合、これに対応し、ＬＥＤユニット１ｂに、三対の解除用突起１１と、一対の解除孔１５とを設ける。
【０１４１】
または、逆に、光学部材８０の底面に、ＬＥＤユニット１ｂの三対の解除用突起１１に対応する、三対の取付溝８１を配置する。
【０１４２】
つまり、簡単にいうと、１つのＬＥＤユニット１ｂに着目すると、当該ＬＥＤユニット１ｂが備える解除用突起１１を用いて、他のユニットＬＥＤ１ｂにおけるリード線１２２ａ（１２２ｂ）の解除が行われ、その後、当該解除用突起１１は、光学部材８０の位置決めに利用される。
【０１４３】
このように、ＬＥＤユニット１ｂは、筐体１０の前面１０ａに解除用突起１１が設けられていることで、他のＬＥＤユニット１ｂにおけるリード線１２２ａ（１２２ｂ）の解除と、当該ＬＥＤユニット１ｂに対する光学部材８０の位置決めが可能となる。
【０１４４】
なお、ＬＥＤユニット１ｂは、他のＬＥＤユニット１ｂが備える三対の解除用突起１１を収容可能な複数の孔を有してもよい。
【０１４５】
具体的には、ＬＥＤユニット１ｂが備える２つの解除孔１５は、他のＬＥＤユニット１ｂの三対の解除用突起１１のうちの一対の解除用突起１１の収容が可能である。そのため、ＬＥＤユニット１ｂは、残り二対の解除用突起１１に対応した二対のダミーの孔を、筐体１０の前面１０ａに備えることで、他のＬＥＤユニット１ｂの三対の解除用突起１１を収容可能である。
【０１４６】
この場合、２つのＬＥＤユニット１ｂを、それぞれの筐体１０の前面１０ａ同士が接触するように重ねることが可能となり、その結果、例えば、複数のＬＥＤユニット１ｂを、所定の大きさの空間内に効率よく保管することができる。
【０１４７】
（変形例３）
図１３は、実施の形態１の変形例３に係るＬＥＤユニット１ｃの平面図である。
【０１４８】
図１３に示すように、変形例３に係るＬＥＤユニット１ｃが備える本体部５は、平面視において、円の一部が切りかかれた形状を有している。
【０１４９】
つまり、本体部５の側面１０ｂの一部として、本体部５の全体形状を円とした場合における弦を形成する平面部５ａが設けられている。また、本変形例では、この平面部５ａに一対の解除用突起１１が配置されており、かつ、当該一対の解除用突起１１は、当該円よりも内側に位置するように平面部５ａに設けられている。
【０１５０】
すなわち、一対の解除用突起１１それぞれの先端は、図１３における弧Ｃよりも内側に位置している。つまり、実施の形態１に係るＬＥＤユニット１と比較すると、本変形例のＬＥＤユニット１ｃでは、解除用突起１１が、本体部５の径方向において、より内側に配置されている。
【０１５１】
これにより、例えば、ＬＥＤユニット１ｃを取り扱う場合に、解除用突起１１が、何らかの物体に当たって損傷する可能性が低減される。
【０１５２】
また、本変形例における解除用突起１１は、例えば、本体部５に、リード線取付部２２のような径方向に突出した部分がない場合であっても、本体部５の最大外径（図１３における弧Ｃを含む円）よりも内側に位置する。
【０１５３】
つまり、本変形例におけるＬＥＤユニット１ｃでは、解除用突起１１は、ＬＥＤユニット１ｃの径方向のサイズを増加させない態様で、本体部５の側面１０ｂに設けられている。
【０１５４】
以上、実施の形態１ならびにその変形例１〜３に係る、ＬＥＤユニット１、１ａ、１ｂ、および１ｃについて説明したが、これらＬＥＤユニットの構成は、上記説明の内容に限定されない。
【０１５５】
例えば、解除用突起１１は、全体的に矩形の板状である。しかし、解除用突起１１の形状としては、例えば、丸棒状、角棒状、円錐状、および角錐状、ならびにこれらの組み合わせなど、各種の形状が採用可能である。
【０１５６】
つまり、解除孔１５に挿入可能であり、かつ、保持部３０によるリード線１２２ａ（１２２ｂ）の保持を解除可能な形状および大きさであればよい。
【０１５７】
また、解除用突起１１は、上記の変形例１で示したように、ＬＥＤユニット１、１ａ、１ｂ、および１ｃのそれぞれにおいて、少なくとも１つあればよい。
【０１５８】
また、ＬＥＤユニット１、１ａ、および１ｂは、全体形状が円形で扁平状であるが、これらの形状に特に限定はない。ＬＥＤユニット１、１ａ、および１ｂは、例えば、平面視において多角形であってもよく、また、曲線と直線との組み合わせによって形成される形状であってもよい。
【０１５９】
また、ＬＥＤユニット１、１ａ、１ｂおよび１ｃは、例えば筐体１０の内部に、交流電力を受電して直流電力に変換する電源回路を備えてもよい。この場合、リード線１２２ａおよび１２２ｂを介して、例えば照明器具から供給される交流電力を、保持部３０に接続された当該電源回路が受け取ればよい。
【０１６０】
また、筐体１０は、実装基板２０の前方の開口部を有していなくてもよい。たとえば、筐体１０が発光部２１からの光を透過させる透光性を有する素材で形成されている場合、発光部２１の前方が筐体１０の一部に覆われてもよい。
【０１６１】
また、挿通孔２２ａおよび２２ｂは、筐体１０ではなく、支持台４０に設けられていてもよい。つまり本体部５の底面に相当する部分に、挿通孔２２ａおよび２２ｂが設けられてもよい。
【０１６２】
例えば、支持台４０に設けられた挿通孔２２ａおよび２２ｂから挿入されたリード線１２２ａおよび１２２ｂそれぞれの端部を保持部３０が保持できるように、保持部３０の姿勢を、図４Ｂに示す姿勢から、左回りに９０°回転させた場合を想定する。
【０１６３】
この場合、筐体１０の側面１０ｂの、２つの解除部３１それぞれに対応する位置に、解除孔１５を設けることで、保持部３０に保持されているリード線１２２ａおよび１２２ｂの解除は可能である。
【０１６４】
また、例えば上記実施の形態１において、ＬＥＤユニット１は、２つの解除用突起１１を備えることにより、他のＬＥＤユニット１におけるリード線１２２ａおよび１２２ｂの一括解除が可能であるとした。
【０１６５】
しかしながら、１つの解除用突起によってリード線１２２ａおよび１２２ｂの一括解除を可能としてもよい。
【０１６６】
図１４は、リード線１２２ａおよび１２２ｂの一括解除を可能とする解除用突起１１ａを示す図である。
【０１６７】
例えば図１４に示すように、保持部３０の２つの解除部３１を同時に押し下げ可能な大きさおよび形状の解除用突起１１ａを、ＬＥＤユニット１に配置する。これにより、既存の保持部３０の構造を変更することなく、リード線１２２ａおよび１２２ｂの一括解除が可能となる。
【０１６８】
なお、解除用突起１１ａは、本体部５の外面であればいずれに配置されてもよい。例えば、筐体１０の側面１０ｂ、前面１０ａ、および、支持台４０の背面のいずれに解除用突起１１ａが配置されてもよい。
【０１６９】
（実施の形態２）
次に、本発明の実施の形態２に係る照明装置１００について、説明する。
【０１７０】
図１５は、実施の形態２に係る照明装置１００の構成概要を示す断面図である。
【０１７１】
図１５に示すように、照明装置１００は、例えば天井板２００に取り付けられたダウンライトである。照明装置１００は、照明器具１１０と、上記実施の形態１に係るＬＥＤユニット１とを備える。
【０１７２】
なお、照明装置１００は、ＬＥＤユニット１に代えて、上記の変形例１に係るＬＥＤユニット１ａ、上記の変形例２に係るＬＥＤユニット１ｂ、または、上記の変形例３に係るＬＥＤユニット１ｃを備えてもよい。
【０１７３】
照明器具１１０は、照明器具１１０に取り付けられたＬＥＤユニット１に給電を行うための器具である。照明器具１１０は、ＬＥＤユニット１を覆うように設けられた器具本体１１０ａと、ＬＥＤユニット１に電力を供給する電源回路２２０とを備えている。
【０１７４】
器具本体１１０ａは、放熱部１１０ｂと反射部１１０ｃとを有しており、電源回路２２０は、リード線２２０ａおよび２２０ｂを有している。
【０１７５】
放熱部１１０ｂは、ＬＥＤユニット１から伝達される熱を放熱する。放熱部１１０ｂは、内部に電源回路２２０を収容し、また、前面部（図１５における下面部）には、ＬＥＤユニット１が固定されている。
【０１７６】
例えば、ＬＥＤユニット１が有する３つの凹部１２のそれぞれに配置された取付孔１２ａを貫通するネジ２５０によって、ＬＥＤユニット１が放熱部１１０ｂの下面部に固定される。
【０１７７】
ここで、放熱部１１０ｂの形状は、放熱に適した形状であれば特に限定されないが、例えば外周に放射状にフィンが形成されたような形状が考えられる。また、放熱部１１０ｂは、アルミニウムなどの熱伝導性が高い材料で構成することが好ましい。
【０１７８】
反射部１１０ｃは、前部（下部）に円形の開口が形成された略カップ形状であって、ＬＥＤユニット１の側方を囲うように構成されている。具体的には、反射部１１０ｃは、放熱部１１０ｂの下面部の周縁から下方に向かって内径が漸次拡大するように形成された円筒形状の部位である。
【０１７９】
つまり、反射部１１０ｃは、光照射側に開口を有し、ＬＥＤユニット１からの光を反射するように形成されている。例えば、反射部１１０ｃは、絶縁性を有する白色の合成樹脂によって形成されている。
【０１８０】
なお、反射率を向上させるために、反射部１１０ｃの内面に反射膜をコーティングしてもかまわない。また、反射部１１０ｃは、合成樹脂製のものに限定されず、金属板をプレス加工して形成されたような金属製の反射板によって実現されてもよい。
【０１８１】
電源回路２２０は、ＬＥＤユニット１に対して直流電力を供給するための部材である。つまり、電源回路２２０には、交流電力を直流電力に変換するための回路素子（電子部品）などが配置されている。
【０１８２】
電源回路２２０は、交流電力を受電して、直流電力に変換し、リード線２２０ａおよび２２０ｂを介して、当該直流電力をＬＥＤユニット１に供給する。
【０１８３】
具体的には、リード線２２０ａおよび２２０ｂは、コネクタ２２１および２２２を介して、リード線１２２ａおよび１２２ｂと接続されている。これにおより、ＬＥＤユニット１は、リード線１２２ａおよび１２２ｂを介して、電源回路２２０から供給される直流電力を受け取ることができる。
【０１８４】
なお、ＬＥＤユニット１の調光を行うための電子部品等が電源回路２２０に配置されていることで、照明器具１１０が、ＬＥＤユニット１を調光可能な器具として実現されていてもよい。
【０１８５】
また、照明器具１１０に取り付けられるＬＥＤユニット１が、交流から直流への変換を行う電源回路を内蔵している場合、照明装置１００は、電源回路２２０を備えなくてもよい。
【０１８６】
以上のように、本発明の実施の形態２に係る照明装置１００によれば、上記実施の形態１に係るＬＥＤユニット１を備えているため、上記実施の形態１と同様の効果を奏する。すなわち、ＬＥＤユニット１の取替え（交換）の際に、取替え（交換）作業を容易に行わせることができる。この効果は、照明装置１００に、実施の形態１ならびにその変形例１および２で説明した各種変形を施しても同様に発揮される。
【０１８７】
（その他）
以上、本発明に係るＬＥＤユニットおよび照明装置について、実施の形態１、その変形例１および２、ならびに実施の形態２に基づいて説明したが、本発明は、これらの実施の形態および変形例に限定されるものではない。
【０１８８】
例えば、実施の形態１において、発光部２１は実装基板２０上に１以上のＬＥＤチップ２１ａを直接実装したＣＯＢ型の構成としたが、これに限らない。
【０１８９】
例えば、発光部２１が有する発光素子として、樹脂成型されたキャビティの中にＬＥＤチップを実装して当該キャビティ内に蛍光体含有樹脂を封入したパッケージ型のＬＥＤ素子が採用されてもよい。つまり、発光部２１として、このＬＥＤ素子を基板上に１以上実装することで構成された表面実装型（ＳＭＤ：Ｓｕｒｆａｃｅ  Ｍｏｕｎｔ  Ｄｅｖｉｃｅ）の発光部が採用されてもよい。
【０１９０】
また、上記の実施の形態１では、発光部２１は、青色ＬＥＤと黄色蛍光体とによって白色光を放出するように構成したが、これに限らない。例えば、赤色蛍光体および緑色蛍光体を含有する蛍光体含有樹脂を用いて、これと青色ＬＥＤと組み合わせることによりに白色光を放出するように構成してもかまわない。
【０１９１】
また、発光部２１は、青色以外の色を発光するＬＥＤを用いてもかまわない。例えば、ＬＥＤとして紫外線発光のＬＥＤチップを用いる場合、蛍光体粒子としては、三原色（赤色、緑色、青色）に発光する各色蛍光体粒子を組み合わせたものを用いることができる。さらに、蛍光体粒子以外の波長変換材を用いてもよく、例えば、波長変換材として、半導体、金属錯体、有機染料、顔料など、ある波長の光を吸収し、吸収した光とは異なる波長の光を発する物質を含んでいる材料を用いてもよい。
【０１９２】
また、上記の実施の形態１では、発光素子としてＬＥＤを例示したが、半導体レーザ等の半導体発光素子、有機ＥＬ（Ｅｌｅｃｔｒｏ  Ｌｕｍｉｎｅｓｃｅｎｃｅ）または無機ＥＬ等の発光素子を用いてもよい。
【０１９３】
その他、各実施の形態および変形例に対して当業者が思いつく各種変形を施して得られる形態、または、本発明の趣旨を逸脱しない範囲で各実施の形態および変形例における構成要素および機能を任意に組み合わせることで実現される形態も本発明に含まれる。
【符号の説明】
【０１９４】
１、１ａ、１ｂ、１ｃ  ＬＥＤユニット
５  本体部
５ａ  平面部
１０  筐体
１０ａ  前面
１０ｂ  側面
１１、１１ａ  解除用突起
１２、１３  凹部
１２ａ、１３ａ  取付孔
１５  解除孔
２０  実装基板
２１  発光部
２１ａ  ＬＥＤチップ
２２  リード線取付部
２２ａ、２２ｂ  挿通孔
２３ａ、２３ｂ、２２１、２２２  コネクタ
３０  保持部
３１  解除部
３１ａ  抜け止め部
３２  押上部
３４  上板部
３５  電線取付部
４０  支持台
４０ａ  背面
８０  光学部材
８１  取付溝
１００  照明装置
１１０  照明器具
１１０ａ  器具本体
１１０ｂ  放熱部
１１０ｃ  反射部
１２２ａ、１２２ｂ、２２０ａ、２２０ｂ  リード線
１３２ａ、１３２ｂ  電線
２００  天井板
２２０  電源回路
２２１、２２２  コネクタ
２５０  ネジ
【図１Ａ】
2014179239.tif 000003
【図１Ｂ】
2014179239.tif 000004
【図２Ａ】
2014179239.tif 000005
【図２Ｂ】
2014179239.tif 000006
【図３】
2014179239.tif 000007
【図４Ａ】
2014179239.tif 000008
【図４Ｂ】
2014179239.tif 000009
【図５】
2014179239.tif 000010
【図６】
2014179239.tif 000011
【図７】
2014179239.tif 000012
【図８】
2014179239.tif 000013
【図９】
2014179239.tif 000014
【図１０】
2014179239.tif 000015
【図１１】
2014179239.tif 000016
【図１２】
2014179239.tif 000017
【図１３】
2014179239.tif 000018
【図１４】
2014179239.tif 000019
【図１５】
2014179239.tif 000020